(57)【要約】【課題】高周波伝送においても電気特性の良いシールドケーブルを提供する。【解決手段】シールドケーブル１は、一対の信号線１０ａ，１０ｂを金属樹脂テープから成るシールド部材１３で覆うものであって、ドレイン線を含まず、当該シールドケーブル１の端部には、シールド部材１３の導電部をグランド電位へ電気接続する端子金具１５が取り付けられている。【選択図】図１
2015056283.tif 000002
【特許請求の範囲】
【請求項１】
少なくとも一対の信号線を金属樹脂テープから成るシールド部材で覆うシールドケーブルであって、
当該シールドケーブルはドレイン線を含まず、
当該シールドケーブルの端部には、前記シールド部材の導電部をグランド電位へ電気接続する端子金具が取り付けられているシールドケーブル。
【請求項２】
前記端子金具は、前記シールド部材と前記信号線との間に挿入されて当該シールドケーブルに対して固定されている請求項１に記載のシールドケーブル。
【請求項３】
前記端子金具は、前記シールド部材を弾性的に挟むことで当該端子金具を前記シールドケーブルの端部に固定するクリップ構造を有していることを特徴とする請求項２に記載のシールドケーブル。
【請求項４】
前記端子金具は、前記信号線に巻き付けられるかしめ構造を有していることを特徴とする請求項２または３に記載のシールドケーブル。
【請求項５】
前記端子金具は、前記信号線が電気接続される信号線用の導電パターンが設けられた回路基板の前記信号線用の導電パターンと同じ面に設けられたグランド電位の導電パターンに電気的に接続される接続片を有していることを特徴とする請求項１〜４のいずれか１項に記載のシールドケーブル。
【発明の詳細な説明】
【技術分野】
【０００１】
本発明は、一対の信号線を金属樹脂テープから成るシールド部材で覆ったシールドケーブルに関するものである。
【背景技術】
【０００２】
電気信号を伝送する電気ケーブルとして、一対の信号線をシールド部材で覆い、その外側を絶縁外被で被覆し、電磁ノイズの電気信号への影響を防ぐシールドケーブルがある。このシールドケーブルでは、一般的に、シールド部材をグランド電位とするためのドレイン線が、信号線と同方向に延在するように配されている（例えば特許文献１参照）。
【０００３】
図５は、従来のシールドケーブルの断面図である。
図５のシールドケーブル５０は、信号導体５１ａ，５１ｂを絶縁部材５３ａ，５３ｂで被覆した信号線５０ａ，５０ｂを一対有すると共に、該信号導体５１ａ，５１ｂと同方向に延在するドレイン線５２を有する。また、シールドケーブル５０は、信号線５０ａ，５０ｂとドレイン線５２を覆うシールドテープ５４を有し、シールドテープ５４の外周は外被５５により覆われている。シールドテープ５４とは、例えば、樹脂フィルム上に金属を蒸着してなるものである。
【０００４】
シールドテープ５４は、その両端でグラウンド電位としないと信号線５０ａ，５０ｂに影響がでるため、グランド電位となる回路基板のグランド電極に接続される必要があるが、グランド電極には直接は半田付けできない。そのため、金属線から成るドレイン線５２をシールドテープ５４に接触させておき、ドレイン線５２を上記グランド電極に半田付けすることにより、シールドテープ５４をグランド電位としている。
【先行技術文献】
【特許文献】
【０００５】
【特許文献１】特開２００４−７１３８４号公報
【発明の開示】
【発明が解決しようとする課題】
【０００６】
しかしながら、シールド２芯ケーブル５０は、数ＧＨｚを超える高周波伝送では、ドレイン線５２の僅かな歪みやズレによって、信号線５０ａ，５０ｂの電気特性が影響をうけてしまう。
【０００７】
本発明は、上述の実情に鑑みてなされたもので、高周波伝送においても電気特性の良いシールドケーブルを提供することを目的とする。
【課題を解決するための手段】
【０００８】
上記課題を解決するために、本発明のシールドケーブルは、少なくとも一対の信号線を金属樹脂テープから成るシールド部材で覆うものであって、当該シールドケーブルはドレイン線を含まず、当該シールドケーブルの端部には、前記シールド部材の導電部をグランド電位へ電気接続する端子金具が取り付けられている。
【０００９】
端子金具は、シールド部材を弾性的に挟むことで当該端子金具をシールドケーブルの端部に固定するクリップ構造を有していることが好ましい。また、端子金具は、信号線に巻き付けられるかしめ構造を有している形態であっても良い。なお、端子金具は、信号線が電気接続される信号線用の導電パターンが設けられた回路基板の信号線用の導電パターンと同じ面に設けられたグランド電位の導電パターンに電気的に接続される接続片を有している形態とすることもできる。
【発明の効果】
【００１０】
本発明のシールドケーブルは、信号線と同方向に延在するドレイン線を用いない構造であるため、高周波伝送においても良好な電気特性を得ることができる。
【図面の簡単な説明】
【００１１】
【図１】本発明のシールドケーブルの一例を説明する図である。
【図２】図１の端子金具を説明する図である。
【図３】端子金具の他の例を説明する図である
【図４】端子金具の別の例を説明する図である
【図５】従来のシールドケーブルの課題を説明する図である。
【発明を実施するための形態】
【００１２】
（本願発明の実施形態の説明）
まず、本発明の実施形態を列記して説明する。
（１）本発明のシールドケーブルは、少なくとも一対の信号線を金属樹脂テープから成るシールド部材で覆うものであって、当該シールドケーブルはドレイン線を含まず、当該シールドケーブルの端部には、シールド部材の導電部をグランド電位へ電気接続する端子金具が取り付けられている。このような構成により、高周波伝送においても良好な電気特性を得ることができる。
【００１３】
（２）端子金具が、シールド部材と信号線との間に挿入されてシールドケーブルに対して固定されていることが好ましい。
（３）端子金具が、シールド部材を弾性的に挟むことで当該端子金具をシールドケーブルの端部に固定するクリップ構造を有することが好ましい。
【００１４】
（４）端子金具が、信号線に巻き付けられるかしめ構造を有している。これにより、より強固に端子金具をシールドケーブルに対して固定することができる。
（５）端子金具が、信号線が電気接続される信号線用の導電パターンが設けられた回路基板の信号線用の導電パターンと同じ面に設けられたグランド電位の導電パターンに電気的に接続される接続片を有することが好ましい。
【００１５】
（本願発明の実施形態の詳細）
以下、図面を参照しながら、本発明のタブリード及び非水電解質電池に係る好適な実施形態について説明する。なお、本発明はこれらの例示に限定されるものではなく、特許請求の範囲によって示され、特許請求の範囲と均等の意味及び範囲内で全ての変更が含まれることを意図する。また、以下の発明において、異なる図面においても同じ符号を付した構成は同様のものであるとして、その説明を省略する。
【００１６】
図１は、本発明のシールドケーブルの一例を説明する図であり、図１（Ａ）は該ケーブルの長手方向中央付近の断面図、図１（Ｂ）及び図１（Ｃ）は、同長手方向端部の斜視図である。
図１（Ａ）のシールドケーブル（以下、２芯ケーブルと省略）１は、信号導体１１ａ，１１ｂを絶縁部材１２ａ，１２ｂで被覆した信号線１０ａ，１０ｂを一対有し、さらに、シールド部材１３と、外被１４とを有する。
【００１７】
信号導体１１ａ，１１ｂは、電気信号を伝送するもので、例えば、銅やアルミ等の導体又はこれらの導体に銀や錫のメッキを施した単線または撚り線が用いられる。また、高周波伝送では、表皮効果により電流が導体表面に偏り、これによる抵抗損失が避けられないことから、表面側を低抵抗とし導体中心側を高抵抗とした２重構造の導体を信号導体１１ａ，１１ｂに用いるようにしてもよい。
【００１８】
絶縁部材１２ａ，１２ｂは、できるだけ誘電率が小さいものが望ましく、パーフルオロアルコキシアルカン（ＰＦＡ）、ポリテトラフオロエチレン（ＰＴＦＥ）、テトラフルオロエチレンヘキサフルオロプロピレンコポリマー（ＦＥＰ）、ポリエチレン、ポリプロピレン等が用いられる。２本の信号線１０ａ，１０ｂは、撚り合わせてもよいし、撚らずに平行に揃えてもよい。前者によって２芯ケーブル１としてツイストペアケーブルを形成し、後者によって２芯ケーブル１として２芯平行ケーブルを形成する。
【００１９】
シールド部材１３は、絶縁部材１２ａ，１２ｂの外周を覆う部材であり、例えば、Ａｌ−ＰＥＴ（ポリエチレンテレフタレート）テープやＣｕ−ＰＥＴテープ等の、樹脂テープに金属箔を張り合わせたシールドテープである。シールド部材１３は、樹脂テープにサブμｍオーダーの厚さの金属を蒸着させたものであってもよい。なお、金属部は本例では絶縁部材１２ａ，１２ｂ側にあるものとする。
外被１４は、２芯ケーブル１の保護のためにシールド部材１３の外周を覆うものであり、例えばＰＥＴテープや押出被覆によるフッ素樹脂などにより形成される。
【００２０】
この２芯ケーブル１は、少なくとも使用時には、その端部において、図１（Ｂ）に示されるように、外被１４が除かれており、また、先端部分においては、絶縁部材１２ａ，１２ｂが例えばレーザやカッター等で切り裂かれて信号導体１１ａ，１１ｂの端部が露出している。信号導体１１ａ，１１ｂは、回路基板２に設けられた信号導体接続用の導電パターン２ａ，２ｂに半田や導電性接着剤等を用いて固定され、該導電パターン２ａ，２ｂに電気的に接続される。
【００２１】
また、図１（Ｃ）に示されるように、２芯ケーブル１の導電パターン２ａ，２ｂへの接続側の裏側には、端子金具１５が取り付けられている。この端子金具１５は、その一端がシールド部材１３の金属部すなわち導電部に接触するよう信号線１０ａ，１０ｂとシールド部材と１３との間に挿入されており、他端が回路基板２のグランド電位の導電パターン２ｃに半田や導電性接着剤を用いて固定されている。この端子金具１５は、シールド部材１３はグランド電位となっている。なお、端子金具１５が２芯ケーブル１から脱落しないように端子金具１５を接着剤で２芯ケーブル１に接着してもよい。
【００２２】
図２は、端子金具１５の斜視図である。端子金具１５は、一方にクリップ構造１５ａを有し、他方に接続片１５ｂを有する。
クリップ構造１５ａは、２芯ケーブル１のシールド部材１３及び外被１４に対して端子金具１５を固定するとともにシールド部材１３の金属部と端子金具１５とを確実に接触させるための構造である。このクリップ構造１５ａは、図１（Ａ）のシールド部材１３と絶縁部材１２ａ，１２ｂとの間に挿入されシールド部材１３の金属部と接触する挿入片１５ｃを有する。また、クリップ構造１５ａは、挿入片１５ｃとの間にシールド部材１３及び外被１４を弾性的に挟持するための弾性片１５ｄを有する。図の例では、挿入片１５ｃは「ロ」の字型をしており、弾性片１５ｄは上記「ロ」の字内に存在するように挿入片１５ｃと一体的に形成されている。
【００２３】
接続片１５ｂは、図１（Ｃ）の回路基板２のグランド電位の導電パターン２ｃに固定されるものであり、弾性片１５ｄが延び出す方向とは反対側に延び出すように挿入片１５ｃと一体的に形成されている。
【００２４】
２芯ケーブル１は、端末部すなわち回路基板への接続部に設けた端子金具１５を用いてシールドテープをグランド電位としており、信号線１０ａ，１０ｂの延在方向と同じ方向に延在するドレイン線がないため、高周波伝送においても電気特性がよい。
【００２５】
図３は、端子金具の他の例を説明する図である。
図３の端子金具２０は、図２の端子金具１５のクリップ構造１５ａ、接続片１５ｂに加えて、クリップ構造１５ａと接続片１５ｂとの間に、かしめ構造２１を有する。
かしめ構造２１は、環状に形成されており、端子金具２０が２芯ケーブル１に取り付けられ環状の中に信号線１０ａ，１０ｂを通された状態で信号線１０ａ，１０ｂに巻きつけられるようにかしめられることにより、端子金具２０が信号線１０ａ，１０ｂすなわち２芯ケーブル１に対して固定される。かしめ構造２１により端子金具２０をより強固に２芯ケーブル１に対して固定することができる。
【００２６】
図４は、端子金具の別の例を説明する図で、端子金具が２芯ケーブルに取り付けられるとともに回路基板に電気的に接続された状態での斜視図である。
【００２７】
図４の端子金具３０は、図２の端子金具１５や図３の端子金具２０と異なり、２芯ケーブル１の回路基板２´の導電パターン２ａ，２ｂへの接続側と同じ側に取り付けられている。この端子金具３０は、回路基板２´のグランド電位の導電パターン２ｃ´，２ｄ´が信号導体接続用の導電パターン２ａ，２ｂと同じ側に設けられている場合に用いられるものであり、信号導体１１ａ，１ｂに接触することがないように導電パターン２ｃ´，２ｄ´に接続可能な形状の接続片３１ａ，３１ｂを有する。この例では、導電パターン２ｃ´，２ｄ´の数に合わせて接続片３１ａ，３１ｂの数は２つとなっている。この端子金具３０を用いる構成とすることで、２芯ケーブルの回路基板への電気接続が容易となる。
なお、この接続片３１ａ，３１ｂは、かしめ構造２１を有する図３の端子金具２０にも適用することができる。
【００２８】
以上の例の端子金具は、例えば、アルミ板や銅板を板金加工して作製することが可能である。
上記例では２芯ケーブルを例に説明したが、信号線が２本より多く含まれシールド部材で一括シールドされているシールドケーブルであっても、端子金具をシールド部材と信号線との間に挿入して、その端子金具によりシールド部材を設置できる構造としてもよい。
【符号の説明】
【００２９】
１…シールドケーブル、１０ａ，１０ｂ…信号線、１１ａ，１１ｂ…信号導体、１２ａ，１２ｂ…絶縁部材、１３…シールド部材１３、１４…外被、１５，２０，３０…端子金具、１５ａ…クリップ構造、１５ｂ…接続片、１５ｃ…挿入片、１５ｄ…弾性片、２１…かしめ構造、３１ａ，３１ｂ…接続片。
【図１】
2015056283.tif 000003
【図２】
2015056283.tif 000004
【図３】
2015056283.tif 000005
【図４】
2015056283.tif 000006
【図５】
2015056283.tif 000007